(57)【要約】【課題】停電状態でもコードレス子機の利用者と通話可能とする。【解決手段】コードレス子機１０において、通信制御部１１Ａにより、自己の親機２０との間で無線通信のためのリンクを確立している際は自己以外のコードレス子機１０との無線通信を拒否し、リンクを確立していない際は自己以外のコードレス子機１０との無線通信を許可するものとし、停電判定部１１Ｂにより、リンクが切断された際、自己以外のコードレス子機１０とこれらコードレス子機１０の親機２０との間の無線通信状況について、自己以外のコードレス子機１０に対する自己との無線通信可否を確認し、この確認結果に応じて自己の親機２０および電話制御装置４０での停電発生有無を判定して表示する。【選択図】  図１
2010154003.tif 000002
【特許請求の範囲】
【請求項１】
親機と電池で動作するコードレス子機との組からなり互いの識別情報を用いて両者間で無線通信を行う複数のコードレス電話機と、これらコードレス電話機を内線収容する電話制御装置とを含む電話システムであって、
前記コードレス子機は、
自己の親機との間で無線通信のためのリンクを確立している際は自己以外の前記コードレス子機との無線通信を拒否し、前記リンクを確立していない際は自己以外の前記コードレス子機との無線通信を許可する通信制御部と、
前記リンクが切断された際、自己以外の前記コードレス子機とこれらコードレス子機の親機との間の無線通信状況について、自己以外の前記コードレス子機に対する自己との無線通信可否を確認し、この確認結果に応じて自己の親機および前記電話制御装置での停電発生有無を判定して表示する停電判定部と
を備えることを特徴とする電話システム。
【請求項２】
請求項１に記載の電話システムにおいて、
前記停電判定部は、自己以外の前記コードレス子機のすべてと無線通信不可の場合には、自己の親機のみで停電が発生したと判定することを特徴とする電話システム。
【請求項３】
請求項１に記載の電話システムにおいて、
前記停電判定部は、自己以外の前記コードレス子機の一部と無線通信不可の場合には、少なくとも自己の親機で停電が発生したと判定することを特徴とする電話システム。
【請求項４】
請求項１に記載の電話システムにおいて、
前記停電判定部は、自己以外の前記コードレス子機のすべてと無線通信可能な場合には、前記電話制御装置で停電が発生したと判定することを特徴とする電話システム。
【請求項５】
親機と電池で動作するコードレス子機との組からなり互いの識別情報を用いて両者間で無線通信を行う複数のコードレス電話機と、これらコードレス電話機を内線収容する電話制御装置とを含む電話システムで用いられる電話制御方法であって、
前記コードレス子機が、自己の親機との間で無線通信のためのリンクを確立している際は自己以外の前記コードレス子機との無線通信を拒否し、前記リンクを確立していない際は自己以外の前記コードレス子機との無線通信を許可する通信制御ステップと、
前記コードレス子機が、前記リンクが切断された際、自己以外の前記コードレス子機とこれらコードレス子機の親機との間の無線通信状況について、自己以外の前記コードレス子機に対する自己との無線通信可否を確認し、この確認結果に応じて自己の親機および前記電話制御装置での停電発生有無を判定して表示する停電判定ステップと
を備えることを特徴とする電話制御方法。
【請求項６】
請求項５に記載の電話制御方法において、
前記停電判定ステップは、自己以外の前記コードレス子機のすべてと無線通信不可の場合には、自己の親機のみで停電が発生したと判定することを特徴とする電話制御方法。
【請求項７】
請求項５に記載の電話制御方法において、
前記停電判定ステップは、自己以外の前記コードレス子機の一部と無線通信不可の場合には、少なくとも自己の親機で停電が発生したと判定することを特徴とする電話制御方法。
【請求項８】
請求項５に記載の電話制御方法において、
前記停電判定ステップは、自己以外の前記コードレス子機のすべてと無線通信可能な場合には、前記電話制御装置で停電が発生したと判定することを特徴とする電話制御方法。
【請求項９】
親機と電池で動作するコードレス子機との組からなり互いの識別情報を用いて両者間で無線通信を行う複数のコードレス電話機と、これらコードレス電話機を内線収容する電話制御装置とを含む電話システムで用いられるコードレス子機であって、
自己の親機との間で無線通信のためのリンクを確立している際は自己以外の前記コードレス子機との無線通信を拒否し、前記リンクを確立していない際は自己以外の前記コードレス子機との無線通信を許可する通信制御部と、
前記リンクが切断された際、自己以外の前記コードレス子機とこれらコードレス子機の親機との間の無線通信状況について、自己以外の前記コードレス子機に対する自己との無線通信可否を確認し、この確認結果に応じて自己の親機および前記電話制御装置での停電発生有無を判定して表示する停電判定部と
を備えることを特徴とするコードレス子機。
【発明の詳細な説明】
【技術分野】
【０００１】
本発明は、電話制御技術に関し、特に電話システムにおけるコードレス子機と親機との無線通信停止要因を判定する技術に関する。
【背景技術】
【０００２】
ボタン電話システムやＰＢＸシステムなどの電話システムでは、主装置やＰＢＸなどの電話制御装置に内線収容されている電話機としてコードレス電話機を用いる場合がある。このコードレス電話機は、電話制御装置と有線回線を介して接続された親機と、この親機と無線回線を介して接続されたコードレス子機とからなり、無線回線を介して形成した通話パスを用いて、コードレス子機で電話制御装置を介した通話を行うものとなっている。
【０００３】
このような電話システムにおいて、コードレス子機と親機との無線通信が停止した場合、３つの要因が考えられる。まず、親機と無線通信可能な圏外にコードレス子機が移動した場合がある。また、電話制御装置への電源供給が途絶えた、いわゆるシステム停電と、親機への電源供給が途絶えた、いわゆる親機停電が考えられる。
【０００４】
コードレス子機の利用者は、親機と無線通信できなくなった場合、これら要因ごとに、それぞれ異なる対応をとる必要がある。例えば、圏外の場合には圏内まで戻ればよい。また、システム停電の場合には電話制御装置への電源供給状況などを確認すればよく、親機停電の場合には、電話制御装置と親機との接続状況などを確認すればよい。
【０００５】
従来、このようなコードレス子機と親機との無線通信停止要因を判定する方法として、電話制御装置や親機に電池を搭載し、電源供給が途絶えた時点で、コードレス子機にその旨を通知して、コードレス子機で停電の旨を表示する技術が提案されている（例えば、特許文献１など参照）。
【０００６】
【特許文献１】特開平４−２６２６５２号公報
【発明の開示】
【発明が解決しようとする課題】
【０００７】
しかしながら、このような従来技術では、電話制御装置や親機に電池を搭載する必要があるため、電話制御装置や親機のハードウェア規模が増大するとともに、システム全体としてコストアップの要因となるという問題点があった。
本発明はこのような課題を解決するためのものであり、新たなハードウェアを追加することなく、コードレス子機と親機との無線通信停止要因を判定できる電話システム、電話制御方法、およびコードレス子機を提供することを目的としている。
【課題を解決するための手段】
【０００８】
このような目的を達成するために、本発明にかかる電話システムは、親機と電池で動作するコードレス子機との組からなり互いの識別情報を用いて両者間で無線通信を行う複数のコードレス電話機と、これらコードレス電話機を内線収容する電話制御装置とを含む電話システムであって、コードレス子機は、自己の親機との間で無線通信のためのリンクを確立している際は自己以外のコードレス子機との無線通信を拒否し、リンクを確立していない際は自己以外のコードレス子機との無線通信を許可する通信制御部と、リンクが切断された際、自己以外のコードレス子機とこれらコードレス子機の親機との間の無線通信状況について、自己以外のコードレス子機に対する自己との無線通信可否を確認し、この確認結果に応じて自己の親機および電話制御装置での停電発生有無を判定して表示する停電判定部とを備えている。
【０００９】
この際、停電判定部で、自己以外のコードレス子機のすべてと無線通信不可の場合には、自己の親機のみで停電が発生したと判定するようにしてもよい。
また、停電判定部で、自己以外のコードレス子機の一部と無線通信不可の場合には、少なくとも自己の親機で停電が発生したと判定するようにしてもよい。
また、停電判定部で、自己以外のコードレス子機のすべてと無線通信可能な場合には、電話制御装置で停電が発生したと判定するようにしてもよい。
【００１０】
また、本発明にかかる電話制御方法は、親機と電池で動作するコードレス子機との組からなり互いの識別情報を用いて両者間で無線通信を行う複数のコードレス電話機と、これらコードレス電話機を内線収容する電話制御装置とを含む電話システムで用いられる電話制御方法であって、コードレス子機が、自己の親機との間で無線通信のためのリンクを確立している際は自己以外のコードレス子機との無線通信を拒否し、リンクを確立していない際は自己以外のコードレス子機との無線通信を許可する通信制御ステップと、コードレス子機が、リンクが切断された際、自己以外のコードレス子機とこれらコードレス子機の親機との間の無線通信状況について、自己以外のコードレス子機に対する自己との無線通信可否を確認し、この確認結果に応じて自己の親機および電話制御装置での停電発生有無を判定して表示する停電判定ステップとを備えている。
【００１１】
この際、停電判定ステップで、自己以外のコードレス子機のすべてと無線通信不可の場合には、自己の親機のみで停電が発生したと判定するようにしてもよい。
また、停電判定ステップで、自己以外のコードレス子機の一部と無線通信不可の場合には、少なくとも自己の親機で停電が発生したと判定するようにしてもよい。
また、停電判定ステップで、自己以外のコードレス子機のすべてと無線通信可能な場合には、電話制御装置で停電が発生したと判定するようにしてもよい。
【００１２】
また、本発明にかかるコードレス子機は、親機と電池で動作するコードレス子機との組からなり互いの識別情報を用いて両者間で無線通信を行う複数のコードレス電話機と、これらコードレス電話機を内線収容する電話制御装置とを含む電話システムで用いられるコードレス子機であって、自己の親機との間で無線通信のためのリンクを確立している際は自己以外のコードレス子機との無線通信を拒否し、リンクを確立していない際は自己以外のコードレス子機との無線通信を許可する通信制御部と、リンクが切断された際、自己以外のコードレス子機とこれらコードレス子機の親機との間の無線通信状況について、自己以外のコードレス子機に対する自己との無線通信可否を確認し、この確認結果に応じて自己の親機および電話制御装置での停電発生有無を判定して表示する停電判定部とを備えている。
【発明の効果】
【００１３】
本発明によれば、コードレス子機の通信制御部や停電判定部の処理動作、すなわちソフトウェアの変更だけで、新たなハードウェアを追加することなく、コードレス子機と親機との無線通信停止要因を判定することが可能となる。
【発明を実施するための最良の形態】
【００１４】
次に、本発明の実施の形態について図面を参照して説明する。
［第１の実施の形態］
まず、図１を参照して、本発明の第１の実施の形態にかかる電話システムについて説明する。図１は、本発明の第１の実施の形態にかかる電話システムの構成を示すブロック図である。
【００１５】
この電話システム１は、互いの識別情報を用いて相互間で無線通信を行う親機２０（２０Ａ，２０Ｂ，２０Ｃ，〜，２０Ｎ）とコードレス子機１０（１０Ａ，１０Ｂ，１０Ｃ，〜，１０Ｎ）との組からなる複数のコードレス電話機３０（３０Ａ，３０Ｂ，３０Ｃ，〜，３０Ｎ）と、このコードレス電話機３０を内線収容するとともに電話網ＮＷに接続されている電話制御装置４０とを含む。
電話システム１の具体例としては、ボタン電話システムやＰＢＸシステムがある。例えば、ボタン電話システムの場合にはその主装置や電話サーバが電話制御装置４０に相当し、ＰＢＸシステムの場合にはそのＰＢＸが電話制御装置４０に相当する。
【００１６】
本実施の形態にかかる電話システムは、コードレス子機１０で、自己の親機２０との間で無線通信のためのリンクを確立している際は他のコードレス子機１０との無線通信を拒否し、リンクを確立していない際は他のコードレス子機１０との無線通信を許可し、リンクが切断された際、自己以外のコードレス子機１０とこれらコードレス子機１０の親機２０との間の無線通信状況について、自己以外のコードレス子機１０に対する自己との無線通信可否を確認し、この確認結果に応じて自己の親機２０および電話制御装置４０での停電発生有無を判定して表示するようにしたものである。
【００１７】
［コードレス子機］
次に、図２を参照して、本発明の第１の実施の形態にかかる電話システムのコードレス子機の構成について説明する。図２は、本発明の第１の実施の形態にかかる電話システムのコードレス子機の構成を示すブロック図である。
コードレス子機１０は、全体として、電池で動作して親機２０やコードレス子機１０と無線通信を行う無線通信端末からなり、主な機能部として、制御部１１、記憶部１２、操作入力部１３、表示部１４、無線インターフェース部（以下、無線Ｉ／Ｆ部という）１５、および音声処理部１６が設けられており、これら機能部が共通バスを介して相互に接続されている。
【００１８】
制御部１１は、ＣＰＵとその周辺回路を有し、記憶部２２からプログラムを読み込んで実行することにより、コードレス子機１０全体を制御する機能を有している。制御部１１に設けられた主な処理部としては、通信制御部１１Ａと停電判定部１１Ｂがある。
通信制御部１１Ａは、無線Ｉ／Ｆ部１５を用いた親機２０や自己以外のコードレス子機との無線通信を制御する機能と、親機２０との間で無線通信のためのリンクを確立している際は自己以外のコードレス子機１０との無線通信を拒否し、親機２０とのリンクを確立していない際は自己以外のコードレス子機１０との無線通信を許可する機能とを有している。
【００１９】
停電判定部１１Ｂは、親機２０とのリンクが切断された際、自己以外のコードレス子機１０について自己との無線通信可否を検出することにより、自己以外のコードレス子機１０とこれらコードレス子機の親機との間の無線通信状況を確認する機能と、この確認結果に応じて自己の親機２０および電話制御装置４０での停電発生有無を判定して表示する機能とを有している。
【００２０】
記憶部１２は、通信制御部１１Ａや停電判定部１１Ｂでの処理に用いるプログラムや各種処理情報を記憶する機能を有している。記憶部１２で記憶する主な処理情報としては、当該コードレス子機１０と組をなす親機２０の識別情報や、電話システム１で用いるすべてのコードレス子機１０の識別情報がある。
操作入力部１３は、ダイヤルキーや機能キーなどの各種操作キーからなり、利用者の操作を検出して通信制御部１１Ａや停電判定部１１Ｂへ出力する機能を有している。
表示部１４は、ＬＣＤやＬＥＤなどの表示回路からなり、通信制御部１１Ａや停電判定部１１Ｂからの指示に応じて、親機２０および電話制御装置４０での停電発生有無を含む無線通信停止要因などの各種情報を表示する機能を有している。
【００２１】
無線Ｉ／Ｆ部１５は、専用の無線回路からなり、ブルートゥース（Bluetooth：登録商標）や無線ＬＡＮなどの無線通信プロトコルに基づいて、親機２０や自己以外のコードレス子機１０と無線通信を行う機能を有している。
音声処理部１６は、専用の音声処理回路からなり、無線Ｉ／Ｆ部１５を介して受信した音声データを音声信号に復号してスピーカから出力するとともに、マイクからの入力音声信号を音声データに符号化して無線Ｉ／Ｆ部１５へ出力する機能と、制御部１１からの指示に応じて着信音などの各種信号音をスピーカから出力する機能とを有している。
【００２２】
［親機］
次に、図３を参照して、本発明の第１の実施の形態にかかる電話システムの親機の構成について説明する。図３は、本発明の第１の実施の形態にかかる電話システムの親機の構成を示すブロック図である。
親機２０は、全体として、電話制御装置４０からの給電電源により動作してコードレス子機１０と無線通信を行う無線通信端末からなり、主な機能部として、制御部２１、記憶部２２、操作入力部２３、表示部２４、無線インターフェース部（以下、無線Ｉ／Ｆ部という）２５、音声処理部２６、および通信インターフェース部（以下、通信Ｉ／Ｆ部という）２７が設けられており、これら機能部が共通バスを介して相互に接続されている。
【００２３】
制御部２１は、ＣＰＵとその周辺回路を有し、記憶部２２からプログラムを読み込んで実行することにより、親機２０全体を制御する機能を有している。
記憶部２２は、制御部２１での処理に用いるプログラムや各種処理情報を記憶する機能を有している。記憶部２２で記憶する主な処理情報としては、当該親機２０と組をなすコードレス子機１０の識別情報や、電話システム１で用いるすべてのコードレス子機１０の識別情報がある。
【００２４】
操作入力部２３は、ダイヤルキーや機能キーなどの各種操作キーからなり、利用者の操作を検出して制御部２１へ出力する機能を有している。
表示部２４は、ＬＣＤやＬＥＤなどの表示回路からなり、制御部２１からの指示に応じて各種情報を表示する機能を有している。
【００２５】
無線Ｉ／Ｆ部２５は、専用の無線回路からなり、ブルートゥース（Bluetooth）や無線ＬＡＮなどの無線通信プロトコルに基づいて、コードレス子機１０と無線通信を行う機能を有している。
音声処理部２６は、専用の音声処理回路からなり、無線Ｉ／Ｆ部２５を介して受信した音声データを音声信号に復号してスピーカから出力するとともに、マイクからの入力音声信号を音声データに符号化して無線Ｉ／Ｆ部２５へ出力する機能と、制御部２１からの指示に応じて着信音などの各種信号音をスピーカから出力する機能とを有している。
通信Ｉ／Ｆ部２７は、専用の通信回路からなり、有線回線からなる内線伝送路を介して電話制御装置４０との間でデータ通信を行う機能を有している。
【００２６】
本実施の形態にかかる電話システム１のうち、電話制御装置４０については、一般的な公知の構成を有しており、ここでの詳細な説明は省略する。また、電話制御装置４０には、コードレス電話機３０以外の他の電話装置が接続されていてもよい。また、電話網ＮＷは、アナログの公衆電話網であってもよく、デジタルのＩＳＤＮやＩＰ電話網であってもよい。
【００２７】
［第１の実施の形態の動作］
次に、本発明の第１の実施の形態にかかる電話システムの動作について説明する。ここでは、コードレス子機１０での停電判定動作、親機検索動作、および停電待機動作についてそれぞれ説明する。
【００２８】
［停電判定動作］
まず、図４を参照して、コードレス子機１０における停電判定動作について説明する。図４は、コードレス子機の停電判定処理を示すフローチャートである。
コードレス子機１０の制御部１１は、親機２０との無線通信のための通信リンクの切断が無線Ｉ／Ｆ部１５で確認された場合、停電判定部１１Ｂにより、図４の停電判定処理を実行する。
【００２９】
通常、無線Ｉ／Ｆ部１５では、親機２０からの電波の受信レベルと圏内しきい値とを比較して、自己が親機２０の通信圏内に在圏しているか否かを検査し、その検査結果すなわち圏内／圏外を制御部１１へ出力している。
停電判定部１１Ｂは、親機２０との通信リンクが切断される直前の受信レベルについて、無線Ｉ／Ｆ部１５からの検査結果を確認する（ステップ１００）。
【００３０】
ここで、無線Ｉ／Ｆ部１５からの検査結果が圏外を示していた場合（ステップ１００：ＹＥＳ）、親機２０との通信リンクが切断された無線通信停止要因が圏外への移動と推定されることから、停電判定部１１Ｂは、表示部１４により「圏外」の旨を表示した後（ステップ１０１）、親機２０との通信リンクの再確立を行うため、後述する親機検索処理へ移行し（ステップ１０２）、一連の停電判定処理を終了する。
【００３１】
一方、ステップ１００において、無線Ｉ／Ｆ部１５からの検査結果が圏内を示していた場合（ステップ１００：ＮＯ）、無線Ｉ／Ｆ部１５を制御して、自己以外の各コードレス子機１０と自己との通信可否を確認する（ステップ１０３）。この通信確認処理については、コードレス子機１０と親機２０との無線通信に用いる無線通信方式に依存する公知の技術を用いればよい。なお、ブルートゥースに関する通信確認処理の具体例については、後述の第２の実施の形態で説明する。
【００３２】
ここで、本実施の形態にかかるコードレス子機１０では、前述したように、通信制御部１１Ａにおいて、自己の親機２０との間で無線通信のためのリンクを確立している際は自己以外のコードレス子機１０との無線通信を拒否し、リンクを確立していない際は自己以外のコードレス子機１０との無線通信を許可する。
【００３３】
このため、自己以外のコードレス子機１０に対して自己との無線通信可否を検出することにより、自己以外のコードレス子機１０とこれらコードレス子機１０の親機２０との間の無線通信状況を確認することができる。
したがって、これら自己以外のコードレス子機１０の無線通信状況に基づいて、自己の親機２０以外の親機２０の動作状況を推定でき、自己の親機２０のみが停電しているのか、自己の親機２０を含む複数の親機が停電しているのか、あるいはすべての親機２０すなわち電話制御装置４０が停電しているのかを判定できる。
【００３４】
したがって、コードレス子機１０の停電判定部１１Ｂは、まず、ステップ１０３の通信確認処理で得られた自己以外のコードレス子機１０との無線通信可否の確認結果に基づいて、自己以外のすべてのコードレス子機１０と通信不可であるか確認する（ステップ１０４）。
【００３５】
ここで、自己以外のすべてのコードレス子機１０と通信不可であった場合（ステップ１０４：ＹＥＳ）、自己以外のすべてのコードレス子機１０がそれぞれの親機２０と通信リンクを確立しており、これら親機２０が正常に動作していることから、親機２０との通信リンクが切断された無線通信停止要因が親機２０のみの停電であると推定される。このため、停電判定部１１Ｂは、表示部１４により「親機停電」あるいは「親機のみ停電」の旨を表示した後（ステップ１０５）、親機２０との通信リンクの再確立を行うため、後述する親機検索処理へ移行し（ステップ１０２））、一連の停電判定処理を終了する。
【００３６】
一方、ステップ１０４において、自己以外のすべてのコードレス子機１０と通信不可ではない場合（ステップ１０４：ＮＯ）、停電判定部１１Ｂは、まず、ステップ１０３の通信確認処理で得られた自己以外のコードレス子機１０との無線通信可否に基づいて、自己以外のすべてのコードレス子機１０と通信可能であるか確認する（ステップ１０６）。
【００３７】
ここで、自己以外のすべてのコードレス子機１０と通信可能であった場合（ステップ１０６ＹＥＳ）、自己以外の各コードレス子機１０とそれぞれの親機との通信リンクがすべて切断されており、すべての親機２０が正常動作していないことから、親機２０との通信リンクが切断された無線通信停止要因が電話制御装置４０の停電であると推定される。このため、停電判定部１１Ｂは、表示部１４により「システム停電」あるいは「電話制御装置停電」の旨を表示した後（ステップ１０７）、システム復電まで待機するため、後述する停電待機処理へ移行し（ステップ１０８））、一連の停電判定処理を終了する。
【００３８】
一方、ステップ１０６において、自己以外の一部のコードレス子機１０と通信不可である場合（ステップ１０６：ＮＯ）、自己以外のコードレス子機１０の一部とこれらの親機との通信リンクが切断されており、一部の親機２０が正常動作していないものの、その他の親機２０が正常動作していることから、親機２０との通信リンクが切断された無線通信停止要因が親機２０を含む複数の親機２０での停電であると推定される。このため、停電判定部１１Ｂは、表示部１４により「親機停電」あるいは「一部親機停電」の旨を表示した後（ステップ１０９）、親機２０の復電まで待機するため、後述する停電待機処理へ移行し（ステップ１０８））、一連の停電判定処理を終了する。
【００３９】
［親機検索処理］
次に、図５を参照して、コードレス子機１０における親機検索動作について説明する。図５は、コードレス子機の親機検索処理を示すフローチャートである。
コードレス子機１０の制御部１１は、親機２０との無線通信のための通信リンクを再確立する場合、停電判定部１１Ｂにより、図５の親機検索処理を実行する。
【００４０】
まず、停電判定部１１Ｂは親機２０からの呼出の受信待機を行うための親機待機期間の計時を開始し（ステップ１１０）、無線Ｉ／Ｆ部１５により、親機２０からの呼出が受信されたか確認する（ステップ１１１）。
ここで、親機２０からの呼出が受信された場合（ステップ１１１：ＹＥＳ）、停電判定部１１Ｂは、表示部１４における無線通信停止要因の表示を消去するとともに（ステップ１１２）、無線Ｉ／Ｆ部１５により、規定の通信手順に基づいて、親機２０との通信リンクの再確立を行い（ステップ１１３）、一連の親機検索処理を終了する。
【００４１】
一方、ステップ１１１において、親機２０からの呼出が受信されていない場合（ステップ１１１：ＮＯ）、停電判定部１１Ｂは、親機待機期間が終了したか確認する（ステップ１１４）。ここで、呼出待機期間が終了していない場合（ステップ１１４：ＮＯ）、一定間隔をあけてステップ１１１へ戻る。
また、親機待機期間が終了した場合（ステップ１１４：ＹＥＳ）、前述した停電判定処理で無線通信停止要因を確認する（ステップ１１５）。
【００４２】
ここで、無線通信停止要因が圏外の場合には（ステップ１１５：ＹＥＳ）、ステップ１１０へ戻る。
一方、無線通信停止要因が親機停電あるいはシステム停電の場合には（ステップ１１５：ＮＯ）、停電が復電するまで待機するため、後述する停電待機処理へ移行して（ステップ１１６）、一連の親機検索処理を終了する。
【００４３】
［停電待機動作］
次に、図６を参照して、コードレス子機１０における停電待機動作について説明する。図６は、コードレス子機の停電待機処理を示すフローチャートである。
コードレス子機１０の制御部１１は、停電中の親機２０や電話制御装置４０が復電するまで待機する場合、停電判定部１１Ｂにより、図６の停電待機処理を実行する。
【００４４】
まず、停電判定部１１Ｂは、無線Ｉ／Ｆ部１５により自己以外の任意のコードレス子機１０からの通信要求が受信されたどうか、および操作入力部１３により自己以外の任意のコードレス子機１０への通信要求操作が検出されたかどうか確認する（ステップ１２０）。
ここで、自己以外の任意のコードレス子機１０との通信要求があった場合（ステップ１２０：ＹＥＳ）、通信制御部１１Ａは、通信要求のあった自己以外のコードレス子機１０との間で無線通信による子機間通信を開始し（ステップ１２１）、通信終了に応じてステップ１２０へ戻る。
【００４５】
一方、ステップ１２０において、自己以外の任意のコードレス子機１０との通信要求がなかった場合（ステップ１２０：ＮＯ）、停電判定部１１Ｂは、コードレス子機１０を低消費電力モードへ移行させた後、停電待機期間だけ待機する（ステップ１２２）。
停電待機期間終了後、停電判定部１１Ｂは、コードレス子機１０の低消費電力モードを解除した後、ステップ１２０と同様にして自己以外の任意のコードレス子機１０との通信要求の有無を確認する（ステップ１２３）。
【００４６】
ここで、自己以外の任意のコードレス子機１０との通信要求があった場合（ステップ１２３：ＹＥＳ）、通信制御部１１Ａは、通信要求のあった自己以外のコードレス子機１０との間で無線通信による子機間通信を開始し（ステップ１２４）、通信終了に応じてステップ１２３へ戻る。
一方、ステップ１２３において、自己以外の任意のコードレス子機１０との通信要求がなかった場合（ステップ１２３：ＮＯ）、停電判定部１１Ｂは、親機２０の復電まで待機するため、前述した親機検索処理へ移行し（ステップ１２５）、一連の停電判定処理を終了する。
【００４７】
［第１の実施の形態の動作例］
次に、本発明の第１の実施の形態にかかる電話システムの動作例について説明する。ここでは、電話制御装置４０が停電したシステム停電の場合、コードレス子機１０と対応する親機２０のみが停電した場合、およびコードレス子機１０の親機２０を含む複数の親機２０が停電した場合について個別に説明する。なお、以下では、電話制御装置４０に対して３つの親機２０Ａ，２０Ｂ，２０Ｃが内線収容されており、これら親機２０Ａ，２０Ｂ，２０Ｃに対してコードレス子機１０Ａ，１０Ｂ，１０Ｃがそれぞれ無線回線で接続されている場合を例として説明する。
【００４８】
［システム停電］
まず、図７を参照して、システム停電が発生した場合における電話システムの動作例について説明する。図７は、本発明の第１の実施の形態にかかる電話システムの動作例（システム停電）を示すシーケンス図である。
【００４９】
親機２０Ａ，２０Ｂ，２０Ｃとコードレス子機１０Ａ，１０Ｂ，１０Ｃとの間で、それぞれ通信リンクが確立されている状態で（ステップ２００）、電話制御装置４０への給電が停止してシステム停電が発生した場合（ステップ２０１）、  親機２０Ａ，２０Ｂ，２０Ｃとコードレス子機１０Ａ，１０Ｂ，１０Ｃとの間の通信リンクがすべて切断される（ステップ２０２）。これにより、これらコードレス子機１０Ａ，１０Ｂ，１０Ｃは、それぞれ無線通信停止状態となる（ステップ２０３）。
【００５０】
この後、それぞれのコードレス子機１０Ａ，１０Ｂ，１０Ｃにおいて、前述した停電確認処理が開始される（ステップ２０４）。
例えば、コードレス子機１０Ａでは、まず、自己以外のコードレス子機１０Ｂ，１０Ｃに対して呼出を送信する（ステップ２１０）。コードレス子機１０Ｂ，１０Ｃは、無線通信停止状態であることから応答を返送する（ステップ２１１）。コードレス子機１０Ａは、すべてのコードレス子機１０Ｂ，１０Ｃから応答があったことから（ステップ２１２）、システム停電と判定し、その旨を表示する（ステップ２１３）。
【００５１】
この後、コードレス子機１０Ａで、停電待機処理が開始されて（ステップ２０５）、利用者操作に応じてコードレス子機１０Ｂとの通話（子機間通信）が行われ（ステップ２１４）、双方の利用者によりシステム停電についての情報が交換される。子機間通話が終了した後、コードレス子機１０Ａは、一定の停電待機期間だけ低消費電力モードで待機状態となる（ステップ２１５）。
【００５２】
停電待機期間終了後、親機検索動作が開始される（ステップ２０６）。これにより、親機２０とのリンクが再確立されるまで、コードレス子機１０Ａで、停電待機処理（ステップ２０５）と親機検索処理（ステップ２０６）とが交互に繰り返され、システム停電の復旧に応じて、コードレス子機１０Ａ，１０Ｂ，１０Ｃと親機２０Ａ，２０Ｂ，２０Ｃとの通信リンクがそれぞれ再確立される（ステップ２０７）。
なお、ステップ２０４〜２０６の処理については、コードレス子機１０Ａについてのみ説明したが、コードレス子機１０Ｂ，１０Ｃについても同様である。
【００５３】
［対応親機停電］
まず、図８を参照して、システム停電が発生した場合における電話システムの動作例について説明する。図８は、本発明の第１の実施の形態にかかる電話システムの動作例（対応親機停電）を示すシーケンス図である。
【００５４】
親機２０Ａ，２０Ｂ，２０Ｃとコードレス子機１０Ａ，１０Ｂ，１０Ｃとの間で、それぞれ通信リンクが確立されている状態で（ステップ２２０）、親機２０Ａへの給電のみが停止して対応親機停電が発生した場合（ステップ２２１）、  親機２０Ａとコードレス子機１０Ａとの間の通信リンクが切断される（ステップ２２２）。これにより、これらコードレス子機１０Ａは、無線通信停止状態となる（ステップ２２３）。
【００５５】
この後、それぞれのコードレス子機１０Ａ，１０Ｂ，１０Ｃにおいて、前述した停電確認処理が開始される（ステップ２２４）。
例えば、コードレス子機１０Ａでは、まず、自己以外のコードレス子機１０Ｂ，１０Ｃに対して呼出を送信する（ステップ２３０）。コードレス子機１０Ｂ，１０Ｃは、無線通信状態であることから、この呼出を無視して応答を返送しない（ステップ２３１）。
コードレス子機１０Ａは、すべてのコードレス子機１０Ｂ，１０Ｃから応答がなかったことから（ステップ２３２）、対応する親機２０のみの対応親機停電と判定し、その旨を表示する（ステップ２３３）。
【００５６】
続いて、コードレス子機１０Ａで、親機検索処理が開始され（ステップ２２５）、親機２０とのリンクが再確立されるまで、停電待機処理（ステップ２２６）と親機検索処理（ステップ２２５）とが交互に繰り返される。
この後、システム停電の復旧に応じて、コードレス子機１０Ａと親機２０Ａとの通信リンクが再確立される（ステップ２２７）。
【００５７】
［システム停電］
次に、図９を参照して、複数の親機２０で停電が発生した場合における電話システムの動作例について説明する。図９は、本発明の第１の実施の形態にかかる電話システムの動作例（複数親機停電）を示すシーケンス図である。
【００５８】
親機２０Ａ，２０Ｂ，２０Ｃとコードレス子機１０Ａ，１０Ｂ，１０Ｃとの間で、それぞれ通信リンクが確立されている状態で（ステップ２４０）、親機２０Ａ，２０Ｂへの給電が停止して複数親機停電が発生した場合（ステップ２４１）、  親機２０Ａ，２０Ｂとコードレス子機１０Ａ，１０Ｂとの間の通信リンクが切断される（ステップ２４２）。これにより、これらコードレス子機１０Ａ，１０Ｂは、それぞれ無線通信停止状態となる（ステップ２４３）。
【００５９】
この後、それぞれのコードレス子機１０Ａ，１０Ｂにおいて、前述した停電確認処理が開始される（ステップ２４４）。
例えば、コードレス子機１０Ａでは、まず、自己以外のコードレス子機１０Ｂ，１０Ｃに対して呼出を送信する（ステップ２５０）。コードレス子機１０Ｂは、無線通信停止状態であることから応答を返送し（ステップ２５１）、コードレス子機１０Ｃは、無線通信状態であることから、この呼出を無視して応答を返送しない（ステップ２５２）。
コードレス子機１０Ａは、コードレス子機１０Ｂから応答があったことから（ステップ２５３）、複数親機停電と判定し、その旨を表示する（ステップ２５４）。
【００６０】
この後、コードレス子機１０Ａで、停電待機処理が開始されて（ステップ２４５）、利用者操作に応じてコードレス子機１０Ｂとの通話（子機間通信）が行われ（ステップ２５５）、双方の利用者によりシステム停電についての情報が交換される。子機間通話が終了した後、コードレス子機１０Ａは、一定の停電待機期間だけ低消費電力モードで待機状態となる（ステップ２５６）。
【００６１】
停電待機期間終了後、親機検索処理が開始される（ステップ２４６）。これにより、親機２０とのリンクが再確立されるまで、コードレス子機１０Ａで、停電待機処理（ステップ２４５）と親機検索処理（ステップ２４６）とが交互に繰り返され、システム停電の復旧に応じて、コードレス子機１０Ａ，１０Ｂと親機２０Ａ，２０Ｂとの通信リンクがそれぞれ再確立される（ステップ２４７）。
なお、ステップ２４４〜２４６の処理については、コードレス子機１０Ａについてのみ説明したが、コードレス子機１０Ｂについても同様である。
【００６２】
［第１の実施の形態の効果］
このように、本実施の形態は、コードレス子機１０において、通信制御部１１Ａにより、自己の親機２０との間で無線通信のためのリンクを確立している際は自己以外のコードレス子機１０との無線通信を拒否し、リンクを確立していない際は自己以外のコードレス子機１０との無線通信を許可するものとし、停電判定部１１Ｂにより、リンクが切断された際、自己以外のコードレス子機１０とこれらコードレス子機１０の親機２０との間の無線通信状況について、自己以外のコードレス子機１０に対する自己との無線通信可否を確認し、この確認結果に応じて自己の親機２０および電話制御装置４０での停電発生有無を判定して表示するようにした。
【００６３】
より具体的には、自己以外のコードレス子機のすべてと無線通信不可の場合には、自己の親機のみで停電が発生したと判定し、自己以外のコードレス子機の一部と無線通信不可の場合には、少なくとも自己の親機で停電が発生したと判定し、自己以外のコードレス子機のすべてと無線通信可能な場合には、電話制御装置で停電が発生したと判定する。
したがって、通信制御部１１Ａや停電判定部１１Ｂの処理動作、すなわちソフトウェアの変更だけで、新たなハードウェアを追加することなく、コードレス子機１０と親機２０との無線通信停止要因を判定することが可能となる。
【００６４】
また、本実施の形態では、停電待機動作において、自己以外のコードレス子機１０や当該コードレス子機１０の利用者からの要求に応じて、自己以外のコードレス子機１０と子機間通信を行うようにしたので、親機２０が停電状態であっても自己以外のコードレス子機１０と通話やデータ通信を行うことが可能となる。これにより、例えば地震などの災害発生時でも、他の利用者と連絡をとることでき、安否や避難に関する情報をやり取りすることが可能となる。
【００６５】
［第２の実施の形態］
次に、本発明の第２の実施の形態にかかる電話システムについて説明する。
本実施の形態では、第１の実施の形態で述べた、コードレス子機１０Ａから自己以外のコードレス子機１０との通信可否を確認する通信確認処理の具体例について、ブルートゥースを例として説明する。
【００６６】
コードレス子機間で相互の通信可否を確認する際、各コードレス子機のすべての組み合わせについて通信可否を確認する必要がある。
この際、ブルートゥースなどの無線方式では、マスタ・スレーブ方式に基づいて無線通信を行うため、コードレス子機１０間で通信確認を行う際は、いずれか一方がマスタすなわち仮想親機として動作し、他方かスレーブすなわち子機として動作する必要がある。
【００６７】
したがって、マスタとして通信確認処理を開始したコードレス子機１０は、マスタでの通信確認処理を終了した後、スレーブとして通信確認処理を実行すればよい。同じく、スレーブとして通信確認処理を開始したコードレス子機１０は、スレーブでの通信確認処理を終了した後、マスタとして通信確認処理を実行すればよい。
【００６８】
本実施の形態では、各コードレス子機１０に予め割り当てられている内線番号や識別情報などのコードレス子機１０に固有の情報に基づいて、マスタあるいはスレーブのいずれで通信確認処理を開始するか、個々のコードレス子機１０で選択している。
以下では、マスタでの通信確認動作とスレーブでの通信確認動作について、それぞれ個別に説明する。
【００６９】
［マスタ通信確認動作］
まず、図１０を参照して、マスタ通信確認動作について説明する。図１０は、コードレス子機におけるマスタ通信確認処理を示すフローチャートである。
コードレス子機１０の停電判定部１１Ｂは、自己がマスタで動作して自己以外のコードレス子機１０との通信可否を確認する際、図１０のマスタ通信確認処理を実行する。
【００７０】
停電判定部１１Ｂは、まず、ＣＰＵの内部タイマなどの計時部を制御して、予め設定されている応答待機期間の計時を開始し（ステップ３００）、無線Ｉ／Ｆ部１５から、自己以外のコードレス子機１０に対して一斉呼出（同報通知）を送信する（ステップ３０１）。
この後、無線Ｉ／Ｆ部１５による自己以外のコードレス子機１０からの応答受信を（ステップ３０２）、応答待機期間が終了するまで（ステップ３０３）、自己以外のコードレス子機１０からの応答待機状態となる。
【００７１】
ここで、ステップ３０２において、記憶部１２に登録されている識別情報を含む登録コードレス子機１０からの応答を受信した場合（ステップ３０２：ＹＥＳ）、停電判定部１１Ｂは、その応答を送信したコードレス子機１０を自己と通信可能な通信可能子機として記憶部１２へ記録する（ステップ３０４）。
【００７２】
この後、停電判定部１１Ｂは、記憶部１２を参照して、すべてのコードレス子機１０が通信可能子機として記録されているか確認し（ステップ３０５）、未記録のコードレス子機１０が存在する場合には（ステップ３０５：ＮＯ）、ステップ３０３へ戻る。
また、すべてのコードレス子機１０が通信可能子機として記録されている場合には（ステップ３０５：ＹＥＳ）、一連のマスタ通信確認処理を終了する。
一方、ステップ３０３において、応答待機期間が終了した場合（ステップ３０３：ＹＥＳ）、一連のマスタ通信確認処理を終了する。
【００７３】
［スレーブ通信確認動作］
次に、図１１を参照して、スレーブ通信確認動作について説明する。図１１は、コードレス子機におけるスレーブ通信確認処理を示すフローチャートである。
コードレス子機１０の停電判定部１１Ｂは、自己がスレーブで動作して自己以外のコードレス子機１０との通信可否を確認する際、図１１のスレーブ通信確認処理を実行する。
【００７４】
停電判定部１１Ｂは、まず、ＣＰＵの内部タイマなどの計時部を制御して、予め設定されている呼出待機期間の計時を開始する（ステップ３１０）。
この後、無線Ｉ／Ｆ部１５による自己以外のコードレス子機１０からの呼出受信を（ステップ３１１）、呼出待機期間が終了するまで（ステップ３１２）、自己以外のコードレス子機１０からの呼出待機状態となる。
【００７５】
ここで、ステップ３１１において、記憶部１２に登録されている識別情報を含む登録コードレス子機１０からの呼出を受信した場合（ステップ３１１：ＹＥＳ）、停電判定部１１Ｂは、その呼出を送信したコードレス子機１０を自己と通信可能な通信可能子機として記憶部１２へ記録する（ステップ３１３）。
【００７６】
この後、停電判定部１１Ｂは、記憶部１２を参照して、すべてのコードレス子機１０が通信可能子機として記録されているか確認し（ステップ３１４）、未記録のコードレス子機１０が存在する場合には（ステップ３１４：ＮＯ）、ステップ３１２へ戻る。
また、すべてのコードレス子機１０が通信可能子機として記録されている場合には（ステップ３１４：ＹＥＳ）、一連のスレーブ通信確認処理を終了する。
一方、ステップ３１２において、呼出待機期間が終了した場合（ステップ３１２：ＹＥＳ）、一連のスレーブ通信確認処理を終了する。
【００７７】
［第２の実施の形態の効果］
このように、本実施の形態では、コードレス子機１０間で相互の通信可否を確認する際、これらコードレス子機１０のいずれか１つ以上がマスタとしてマスタ通信確認動作を開始した後、スレーブ通信処理動作を実行し、残りのコードレス子機１０をスレーブとしてスレーブ通信確認動作を開始した後、マスタ通信処理動作を実行するようにしたので、マスタあるいはスレーブに偏ることなく、相互の通信可否を確認することが可能となる。
また、コードレス子機１０のそれぞれで通信確認処理を開始するタイミング、さらには応答待機期間や呼出待機期間を、それぞれ個別のものを用いてもよく、より効率よく相互の通信可否を確認することが可能となる。
【図面の簡単な説明】
【００７８】
【図１】本発明の第１の実施の形態にかかる電話システムの構成を示すブロック図である。
【図２】本発明の第１の実施の形態にかかる電話システムのコードレス子機の構成を示すブロック図である。
【図３】本発明の第１の実施の形態にかかる電話システムの親機の構成を示すブロック図である。
【図４】コードレス子機の停電判定処理を示すフローチャートである。
【図５】コードレス子機の親機検索処理を示すフローチャートである。
【図６】コードレス子機の停電待機処理を示すフローチャートである。
【図７】本発明の第１の実施の形態にかかる電話システムの動作例（システム停電）を示すシーケンス図である。
【図８】本発明の第１の実施の形態にかかる電話システムの動作例（対応親機停電）を示すシーケンス図である。
【図９】本発明の第１の実施の形態にかかる電話システムの動作例（複数親機停電）を示すシーケンス図である。
【図１０】コードレス子機におけるマスタ通信確認処理を示すフローチャートである。
【図１１】コードレス子機におけるスレーブ通信確認処理を示すフローチャートである。
【符号の説明】
【００７９】
１…電話システム、１０，１０Ａ，１０Ｂ，１０Ｃ，〜，１０Ｎ…コードレス子機、１１…制御部、１１Ａ…通信制御部、１１Ｂ…停電判定部、１２…記憶部、１３…操作入力部、１４…表示部、１５…無線Ｉ／Ｆ部、１６…音声処理部、２０，２０Ａ，２０Ｂ，２０Ｃ，〜，２０Ｎ…親機、２１…制御部、２２…記憶部、２３…操作入力部、２４…表示部、２５…無線Ｉ／Ｆ部、２６…音声処理部、２７…通信Ｉ／Ｆ部、３０，３０Ａ，３０Ｂ，３０Ｃ，〜，３０Ｎ…コードレス電話機、４０…電話制御装置、ＮＷ…電話網。
【図１】
2010154003.tif 000003
【図２】
2010154003.tif 000004
【図３】
2010154003.tif 000005
【図４】
2010154003.tif 000006
【図５】
2010154003.tif 000007
【図６】
2010154003.tif 000008
【図７】
2010154003.tif 000009
【図８】
2010154003.tif 000010
【図９】
2010154003.tif 000011
【図１０】
2010154003.tif 000012
【図１１】
2010154003.tif 000013